(57)【要約】      （修正有）【課題】薄く、軽く、柔らかく、風合いが優れ、使い心地が良く、簡単に身体から取り外すことができる利便性に優れた柔軟性と伸縮性を有し、額又は頭に巻き付けが容易で、腕に嵌めることも出来る保冷具を提供する。【解決手段】粒状の吸水性ポリマー６を収納し、且つ、透水性を有する一本若しくは二本以上の長尺の袋体２を、伸縮性生地１に包持し、該伸縮性生地の周囲を縫着５する。【選択図】図３
0003175412.tif 000002
【実用新案登録請求の範囲】
【請求項１】
粒状の吸水性ポリマーを収納し透水性を有する一本若しくは二本以上の長尺の袋体を、伸縮性生地に包持し、該伸縮性生地の周囲を縫着したことを特徴とする保冷具。
【請求項２】
一本若しくは二本以上の長尺の袋体を伸縮性生地に固定したことを特徴とする請求項１記載の保冷具。
【請求項３】
伸縮性生地内に抗菌性繊維素材を設けた請求項１又は２記載の保冷具。
【請求項４】
伸縮性生地が、筒状若しくはリング状であることを特徴とする請求項１、２又は３記載の保冷具。
【請求項５】
伸縮性生地が、帯状であることを特徴とする請求項１、２、３又は４記載の保冷具。
【考案の詳細な説明】
【技術分野】
【０００１】
本考案は、腕や額等に装着して身体の一部を冷却する、吸水性ポリマーを収納した保冷具に関するものである。
【背景技術】
【０００２】
従来、首に巻いて冷やす冷却用ネックバンドは透水性のシートを長手方向に二つ折りしてなる帯状の本体と、その帯状の本体の中ほどを仕切りで仕切ってなる袋部と、この袋部内に収納された吸水性ポリマーとからなる冷却用ネックバンドがある（例えば、特許文献１参照。）。
【先行技術文献】
【特許文献】
【０００３】
【特許文献１】実用登録３０１９８３１号公報
【考案の概要】
【考案が解決しようとする課題】
【０００４】
この冷却用ネックバンドは、首などから発生する汗を抑えるために、ゲル状の吸水性ポリマーは吸水作用によりゲル状化するが、長時間もたせるために予め冷蔵庫などで冷やしておいて使用する。
しかし、ゲル状物質は冷却すると硬くなり、ごわごわして帯状体が曲げにくくなり身体の頭や額に巻き付けることは非常に困難であり、その為、タオルなどに包んで使用するか、ある程度柔らかく戻して帯状体を身体に巻きつけて使用することが非常に不便で面倒である点に問題があった。
また、上記の従来の帯状体で発汗を抑えても、一時的な効果しか得られず、長時間にわたって清涼感を求めることはできなかった。
【０００５】
本考案は薄く、軽く、柔らかく、風合いが優れ、使い心地が良く、簡単に身体から取り外すことができる利便性に優れた柔軟性と伸縮性を有し、額又は頭に巻き付けが容易で又腕等に嵌めることも出来る筒状、リング状又は帯状の保冷具を提供することにある。
更に本考案は、前記保冷具に抗菌性の効果をも有する保冷具を提供することにある。
【課題を解決するための手段】
【０００６】
上記課題を解決する為に、本考案は、このような状況に鑑みてなされたもので、粒状の吸水性ポリマーを収納し透水性を有する一本若しくは二本以上の長尺の袋体を、伸縮性生地に包持し、該伸縮性生地の周囲を縫着したことを特徴とする保冷具を、課題を解決するための手段とする。
【０００７】
また、本考案は、上記保冷具において一本若しくは二本以上の長尺の袋体を伸縮性生地に固定したことを特徴とする保冷具を、課題を解決するための手段とする。
【０００８】
更に、本考案は、前記いずれかの保冷具に抗菌性効果を持たせるために、伸縮性生地内に制菌性繊維素材（生地片、紐状、糸状の繊維等）を設けた保冷具を、課題を解決するための手段とする。
【０００９】
また、本考案は、前記いずれかの保冷具において、伸縮性生地を、筒状、リング状又は帯状に形成し、これを筒状若しくはリング状にして腕等に嵌めて使用するか或いは、家庭用に供される保冷具として帯状として身体に巻きつけ或いはリング状にして腕等に嵌めて使用するものを、課題を解決するための手段とする。
【考案の効果】
【００１０】
請求項１に記載の保冷具は、粒状の吸水性ポリマーを収納し透水性を有する一本若しくは二本以上の長尺の袋体を、伸縮性生地に包持し、該伸縮性生地の周囲を縫着したので、伸縮性生地の柔軟性を失わず、袋体を長尺とすることにより柔軟性をもたせ、これを冷水中に浸漬することで粒状の吸水性ポリマーが冷水を吸収して膨潤して保水しても、柔軟性と伸縮性が有り身体に沿わせやすく、腕、身体から発生する汗を抑え、長時間にわたって清涼感を発揮する保冷具とすることが出来る。
また、袋体には大きな吸水能力を持たせることができ、筒状や帯状にする場合はこれを複数本並列に並べて使用して吸水表面積を広げ、更に、柔軟性と伸縮性を発揮することができる。
更に、使用後の取り外しも容易簡単で、薄く、軽く、柔らかく、風合いが優れ、柔軟性のある使い心地が良好な保冷具を提供することができる。
【００１１】
請求項２に記載の保冷具は、請求項１の保冷具の構成に加えて、粒状の吸水性ポリマーが充填された袋体が移動しないように伸縮性生地に対して袋体を固定したことから、使用中に伸縮性生地内の袋体がずれる事が無い。伸縮性生地に対して袋体を固定することによるずれを防止する効果は、一本の袋体を伸縮性生地に包持した場合でも一定の効果を有するが、特に複数本並列に並べて使用した場合に、より高い効果を得ることができる。
【００１２】
請求項３に記載の保冷具は、請求項１又は請求項２の保冷具に抗菌性の効果を持たせるために、伸縮性生地内に制菌性繊維素材からなる生地片、紐状、糸状の繊維を装着して抗菌性を兼備した保冷具として使用することができる。
【００１３】
請求項４に記載の保冷具は、粒状の吸水性ポリマーが充填された一本若しくは二本以上の長尺の袋体とし、筒状若しくはリング状の伸縮性生地に沿わせて配置固定したので、長時間にわたって清涼感を発揮し、柔軟性と伸縮性があり身体に沿わせやすい保冷具とすることが出来る。
また、腕輪、ネックバンド又は鉢巻き等として使用でき、伸縮性生地内に制菌性繊維素材からなる生地片、紐状、糸状の繊維を装着して抗菌性を兼備した場合には、更に抗菌性の効果も発揮できる。
【００１４】
請求項５に記載の保冷具は、粒状の吸水性ポリマーが充填された一本又は二本以上の長尺の袋体とし、帯状の伸縮性生地に沿わせて配置固定し、該伸縮性生地の周囲を縫着したので、長時間にわたって清涼感を発揮し、柔軟性と伸縮性があり身体に沿わせやすい帯状の保冷具として使用できるほか、帯状の保冷具を体に巻きつけることで、体のあらゆる部位に巻きつけ使用が可能な保冷具として使用できる。そして、伸縮性生地内に制菌性繊維素材からなる生地片、紐状、糸状の繊維を装着して抗菌性を兼備した場合には、更に抗菌性の効果も発揮できる。
【図面の簡単な説明】
【００１５】
【図１】図１は透水性を有する細径の袋体に吸水性ポリマーが充填され、これを伸縮性生地に取り付ける状態を示す構成正面図である。
【図２】図２は透水性を有する細径の袋体に吸水性ポリマーが充填され、伸縮性生地に袋体を取り付けて筒状（筒網状）の伸縮性生地を二重に重ね折りした状態の構成正面図である。
【図３】図３は図２のＡ−Ａ線における断面図及び一部拡大断面図である。
【図４】図４は吸水性ポリマーが充填された透水性を有する細径の袋体を帯状の伸縮性生地の長さ方向に配置した状態を示す構成平面図である。
【図５】図５は図４の透水性を有する細径の袋体に吸水性ポリマーが充填された袋体を伸縮性生地上に一定間隔に長さ方向に配置し、伸縮性生地を折り畳んで周囲を縫着した状態を説明する帯状体の平面図である。
【図６】図６は図５のＢ−Ｂ線における断面図である。
【図７】図７は帯状体のものをリング状に形成した保冷具の平面図である。
【考案を実施するための形態】
【００１６】
帯状又は腕輪状の保冷具に柔軟性と伸縮性をもたせて身体に沿わせやくした保冷具である。
【実施例１】
【００１７】
以下、本考案の保冷具の実施例１について図面を参照して説明する。
図１乃至図３に本考案の実施例１の構成を示すもので、図１は吸水性ポリマー６を充填した複数本の細径で長尺の袋体を、筒網状の伸縮性生地上に並べて配置した状態を示す構成正面図である。
尚、図示を省略するが、伸縮性生地が筒網状の場合は長尺の袋体を、渦巻状に巻きつけ固定してもよく、又短尺の袋体の場合は繋いで使用してもよい。
【００１８】
図２は図１の伸縮性生地１の上半分１Ａに吸水性ポリマー６入りの細径のリング状の袋体２を伸縮性生地１の長さ方向に複数本載置し、伸縮性生地１の上半分１Ａと下半分１Ｂの境界線１Ｃより谷折りして伸縮性生地１の上半分１Ａに重ね合わせて二重筒網状に折り畳んだ状態で、袋体２の各間隙を長さ方向に縫着５して、袋体２が伸縮性生地１上を移動しないよう固定し、上半分１Ａと下半分１Ｂの両端の縫着代１Ｄ，１Ｅを揃えて両端１Ｄ，１Ｅを縫着５して内部に吸水性ポリマーの収納された袋体２が収納され、二重の筒状体を形成し、腕輪又は鉢巻として、筒状に形成したものである。
【００１９】
図３は図２のＡ−Ａ線に二重の筒網状の伸縮性生地１内に吸水性ポリマー６が充填された袋体２の配置を説明する構成断面図と一部拡大断面図である。
【００２０】
本実施例１に係る保冷具は、吸水性ポリマー６を充填する袋体２の素材は、透水性を有する布地、フィルム、或いはこれらに紙又は不織布を貼り付けた透水性を有する素材からなる。
この袋体２の内部に吸水性ポリマー６が充填され、該袋体２を伸縮性生地１の長さ方向に複数本並べて縫着する。本実施例１のように、袋体が複数本の場合は伸縮性生地１上で袋体２が移動しないように固定し伸縮性生地の周囲を縫着して、伸縮性生地に柔軟性と伸縮性をもたせた筒網状としたものである。
これを冷水中に浸漬することにより、吸水性ポリマー６が冷水を吸収して膨潤して袋状体２に保水させて保冷具として使用する。
【００２１】
吸水性ポリマー６が充填された袋体２に柔軟性と伸縮性をもたせるために袋体２を、取り付ける伸縮性生地１，２Ａの幅方向又は長さ方向に一本以上を平行に並べて伸縮性生地１、２Ａの内部に固定し、伸縮性生地の周囲を縫着したので、筒状に形成した保冷具は柔軟性と伸縮性があり身体に沿わせやすい保冷具が提供できる。
【実施例２】
【００２２】
次に、本考案の保冷具の実施例２について図面を参照して説明する。
図４は、平面状の伸縮性生地２Ａの上半分１Ａ又は下半分１Ｂのいずれか一面又は上半分１Ａ又は下半分１Ｂの両面に、吸水性ポリマー６が充填された透水性を有する細径の伸縮性生地からなる袋体２を伸縮性生地２Ａの長さ方向に複数本載置した構成を示す配置平面図である。
【００２３】
図５は、図４の平面状の伸縮性生地２Ａの上半分１Ａと下半分１Ｂの境界線１Ｃより谷折りして伸縮性生地２Ａを重ね合わせて帯状に折り畳み、上半分１Ａと下半分１Ｂの両端の縫着代１Ｄ，１Ｅを揃え、縫着代２Ｄ，２Ｅを揃えてそれぞれ縫着５して内部に充填された吸水性ポリマー６が収納され、伸縮性生地２Ａで二重にされ、袋体２の各間隙間を縫着固定した状態の帯状を示す平面説明図である。
図６は図５のＢ−Ｂ線における断面説明図である。
図７は図５の帯状の伸縮性有する伸縮性生地をリング状に巻いて面状テープで固定して腕輪状に形成した平面図である。伸縮性生地１はパイル生地、メリヤス編みなどの厚手のジャージ生地でもよい。
【００２４】
抗菌性の効果を持たせるために、伸縮性生地内に制菌性繊維素材からなる紐状、糸状、繊維生地片の繊維を伸縮生地内に袋状体と一緒に挿入固定して使用する。例えば、ノンホルマリン系制菌性繊維はパワーメッシュ  WY-178  （登録商標）神戸レザークロス株式会社、マックスベック（登録商標）東レ株式会社、クリータフ（登録商標）富士紡績株式会社、ムッシュー（登録商標）東亜紡績株式会社、サニター３０（登録商標）クラレ株式会社、スパンレース不織布（登録商標）オーミケンシ株式会社の何れかのもの等を使用することができる。
【００２５】
本実施例２に係る保冷具は、袋体２の素材は透水性フィルム又は布地、或いは布地に前記透水性を有するフィルム又は紙、不織布を貼り付けた素材からなる。
この袋体２の内部に吸水性ポリマー６が充填され、該袋体２を伸縮性生地１の長さ方向に複数本並べて縫着し、袋体が複数本の場合は伸縮性生地１上で袋体２が移動しないように固定し伸縮性生地の周囲を縫着して、伸縮性生地に柔軟性と伸縮性をもたせた帯状としたものである。
これを冷水中に浸漬することにより、吸水性ポリマー６が冷水を吸収して膨潤して袋状体２に保水させて、帯状のまま使用するか、或いは帯状を腕輪や鉢巻き等に形成してなる保冷具として使用することができる。
【００２６】
吸水性ポリマー６が充填された袋体２に柔軟性と伸縮性をもたせるために袋体２を、取り付ける伸縮性生地１，２Ａの幅方向又は長さ方向に複数本を平行に並べて伸縮性生地１、２Ａの内部に固定し、伸縮性生地の周囲を縫着したので、帯状を腕輪や鉢巻き等に形成して、柔軟性と伸縮性があり身体に沿わせやすい保冷具が提供できる。
【００２７】
上記実施例１及び実施例２における透水性の細径長尺の袋体２内に密封充填されている吸水性ポリマー６は、アクリル酸ソーダ重合体からなる粒状の高分子吸水性ポリマー６である。
１個の袋体２内に充填される吸水性ポリマー６の量は約２乃至５ｇ程度であり、また図４で示す袋体２は５本で構成されており、１本の袋体２の長さは約５０センチ程度である。又細径長尺の袋体の径は約５ミリから１０ミリ程度のもので表面積を広くする為に複数本の袋体を平行に並べれ使用して吸水効果を得やすいものであれば袋体の断面形状は筒状の断面が円形ではなく、四角形、菱形、小判型など何れのものでもよい。
【００２８】
上記のように構成された腕輪又は鉢巻は冷水中に約３０分程度浸漬させることにより、吸水性ポリマー６は水を吸収して膨潤させて保水させる。この状態で頭や首に巻き付けることにより、柔軟性の有る鉢巻やネックバンドとして長時間にわたって水の気化熱により清涼感を得ることができる。
袋体２内の水が減少したときは再び鉢巻やネックバンドを冷水内に浸漬して水を吸収させることにより、再使用をすることが出来る。
【００２９】
上記実施例１では筒状のネックバンド又は鉢巻きとしたが、実施例２で示した帯状で使用すれば、体のあらゆる部位に巻きつけ使用が可能である点で更に好ましい。
【００３０】
また、上記実施例１、２はいずれも複数本の細径長尺の袋体を用いたものを使用したが、本考案はこれに限定するものではなく、１本のみの長尺の袋体を用いたものとすることもできる。１本のみの長尺の袋体、更には細径長尺の袋体を用いることで、自由度が高くなり、非常に柔軟性の高い保冷具を提供することができる。
【００３１】
また、本考案に係る保冷具は、腕に装着たり頭や首などに装着することができ、帯状体の一端に形成した縫着代に面状テープを取付け、腕輪状に形成して、帯状体の一端に形成した縫着代同志を縫着又は接着により、腕の太さに応じた大きさに形成し、あるいは頭の径に応じてリング状の径を調節して用途に応じた径を有する保冷具を形成することができる。
【符号の説明】
【００３２】
１    伸縮性生地
１Ａ  上半分
１Ｂ  下半分
１Ｃ  境界線
１Ｄ  縫着代
１Ｅ  縫着代
２    袋体
２Ａ  伸縮性生地
２Ｄ  縫着代
２Ｅ  縫着代
３    素材
４    通水孔
５    縫着
６    吸水性ポリマー
７    面状テープ
【図１】
0003175412.tif 000003
【図２】
0003175412.tif 000004
【図３】
0003175412.tif 000005
【図４】
0003175412.tif 000006
【図５】
0003175412.tif 000007
【図６】
0003175412.tif 000008
【図７】
0003175412.tif 000009